(57)【要約】【課題】サニタリ性、測定精度が向上された電磁流量計を実現する。【解決手段】電磁流量計本体のフランジとアダプタのフランジとがガスケットを介して固定される電磁流量計において、前記アダプタあるいは電磁流量計本体のフランジが接するフランジ面の少なくともいずれか一方の測定流体流路近くに設けられ前記フランジの外径側に隙間が広がる形状を有するテーパー部と、このテーパー部に一面が接するガスケットと、前記テーパー部の前記フランジの外径側に隣接して前記フランジ面に設けられ前記ガスケットの変形を吸収する吸収スペースとを具備したことを特徴とする電磁流量計である。【選択図】図１
2007304040.tif 000002
【特許請求の範囲】
【請求項１】
電磁流量計本体のフランジとアダプタのフランジとがガスケットを介して固定される電磁流量計において、
前記アダプタあるいは電磁流量計本体のフランジが接するフランジ面の少なくともいずれか一方の測定流体流路近くに設けられ前記フランジの外径側に隙間が広がる形状を有するテーパー部と、
このテーパー部に一面が接するガスケットと、
前記テーパー部の前記フランジの外径側に隣接して前記フランジ面に設けられ前記ガスケットの変形を吸収する吸収スペースと
を具備したことを特徴とする電磁流量計。
【請求項２】
前記ガスケットの外縁部に直交して前記フランジ側に突出して設けられた凸部と、
この凸部に対向して前記フランジ面に設けられた凹部と
を具備したことを特徴とする請求項１記載の電磁流量計。
【発明の詳細な説明】
【技術分野】
【０００１】
本発明は、サニタリ性、測定精度が向上された電磁流量計に関するものである。
【背景技術】
【０００２】
電磁流量計に関連する先行技術文献としては次のようなものがある。
【０００３】
【非特許文献１】ＩＳＯ規格、ＩＳＯ２８５２−１９７４（Ｅ）、Ｐ６
【０００４】
図５は従来より一般に使用されている従来例の要部構成説明図、図６は図５の要部構成説明図である。
図５において、電磁流量計１は、アダプタ２と流量計本体３のライニング４との間に、ガスケット５を挟み込み、ボルト６を使用してシールを行って組み立てられる。
図６において、７は流量計本体３のフランジであり、８は流量計本体３の測定管である。なお、図６においては、分かりやすいように、流量計本体３のカバー９は、はずされている。
１１は、アダプタ２のフランジである。
【発明の開示】
【発明が解決しようとする課題】
【０００５】
このような装置においては、以下の間題点がある。
電磁流量計のサニタリ性を確保するためは、測定流体が流れる側のガスケット５のはみ出し量を制限しなければならない。
そのために、接続固定用のボルト６をトルク管理して締めなければならなかった。
即ち、測定流体が流れる側のガスケット５が凹んでいると、そこに液溜まりができ細菌が繁殖し、サニタリ性を損なう。
また、測定流体が流れる側のガスケット５が凸になっていると、流れを乱してしまい測定精度が低下してしまう。
【０００６】
本発明の目的は、上記の課題を解決するもので、ボルト６のトルク管理が不要で、ガスケットのはみ出し量の制限が可能となって、サニタリ性、測定精度が向上された電磁流量計を提供することにある。
【課題を解決するための手段】
【０００７】
このような課題を達成するために、本発明では、請求項１の電磁流量計においては、
電磁流量計本体のフランジとアダプタのフランジとがガスケットを介して固定される電磁流量計において、前記アダプタあるいは電磁流量計本体のフランジが接するフランジ面の少なくともいずれか一方の測定流体流路近くに設けられ前記フランジの外径側に隙間が広がる形状を有するテーパー部と、このテーパー部に一面が接するガスケットと、前記テーパー部の前記フランジの外径側に隣接して前記フランジ面に設けられ前記ガスケットの変形を吸収する吸収スペースとを具備したことを特徴とする。
【０００８】
本発明の請求項２の電磁流量計においては、請求項１記載の電磁流量計において、
前記ガスケットの外縁部に直交して前記フランジ側に突出して設けられた凸部と、この凸部に対向して前記フランジ面に設けられた凹部とを具備したことを特徴とする。
【発明の効果】
【０００９】
本発明の請求項１によれば、次のような効果がある。
電磁流量計本体とアダプタとのフランジ部分がガスケットでシールされる際に、テーパ部分が設けられたので、ガスケットの測定流体に接する部分が最初に固定され、ガスケットはフランジの外径側に変形するため、ガスケットが測定流体側に凸あるいは凹にならずに固定が可能となる。
即ち、ガスケットの測定流体側へのはみ出しあるいはへこみの量を規制することができ、凹凸のない滑らかな測定流路が確保できる電磁流量計が得られる。
このために、サニタリ性が向上された電磁流量計が得られる。また、測定精度が向上された電磁流量計が得られる。
【００１０】
本発明の請求項２によれば、次のような効果がある。
ガスケットの外縁側に測定流体の流路方向に設けられた凸部と、この凸部に対向してフランジ面に設けられた凹部とが設けられたので、ガスケットの取付け位置が更に正確にでき、更に、サニタリ性，測定精度が向上された電磁流量計が得られる。
【発明を実施するための最良の形態】
【００１１】
以下本発明を図面を用いて詳細に説明する。
図１は本発明の一実施例の要部構成説明図、図２は図１の要部組立説明図である。
図において、図５，図６と同一記号の構成は同一機能を表す。
以下、図５，図６との相違部分のみ説明する。
【００１２】
図１において、テーパー部２１は、アダプタ２のフランジ１１の面の測定流体流路近くに設けられ、フランジ１１の外径側に隙間が広がる形状を有する。
ガスケット２２は，テーパー部２１に一面が接している。
吸収スペース２３は、テーパー部２１のフランジ１１の外径側に隣接してフランジ面に設けられ、ガスケット２２の変形を吸収する。
【００１３】
凸部２４は、ガスケット２２の外縁部に直交して、アダプタ２のフランジ面側に突出して設けられている。
凹部２５は、凸部２４に対向してアダプタ２のフランジ面に設けられている。
【００１４】
以上の構成において、電磁流量計本体３とアダプタ２とのフランジ部分７，１１がガスケット２２でシールされる際に、テーパ部分２１が設けられたので、ガスケット２２の測定流体に接する部分が最初に固定され、ガスケット２２はフランジ部分７，１１の外径側に変形するため、ガスケット２２が測定流体側に凸あるいは凹にならずに固定が可能となる。
【００１５】
この結果、ガスケット２２の測定流体側へのはみ出しあるいはへこみの量を規制することができ、凹凸のない滑らかな測定流路が確保できる電磁流量計が得られる。
このために、サニタリ性が向上された電磁流量計が得られる。また、測定精度が向上された電磁流量計が得られる。
【００１６】
図３は、本発明の他の実施例の要部構成説明図、図４は図３の要部組立説明図である。
図３において、テーパー部３１は、アダプタ２のフランジ１１の面の測定流体流路近くに設けられ、フランジ１１の外径側に隙間が広がる形状を有する。
テーパー部３２は、電磁流量計本体３のフランジ７の面の測定流体流路近くに設けられ、フランジ７の外径側に隙間が広がる形状を有する。
【００１７】
ガスケット３３は，テーパー部３１，３２にそれぞれ一面が接している。
吸収スペース３４は、テーパー部２１のフランジ１１の外径側に隣接してアダプタ２のフランジ面に設けられ、ガスケット３３の変形を吸収する。
【００１８】
凸部３５は、ガスケット３３の外縁部に直交して、アダプタ２のフランジ１１の面側に突出して設けられている。
凹部３６は、凸部３５に対向してアダプタ２のフランジフランジ１１の面に設けられている。
【００１９】
凸部３７は、ガスケット３３の外縁部に直交して、電磁流量計本体３のフランジ７の面の側に突出して設けられている。
凹部３８は、凸部３７に対向してアダプタ２の電磁流量計本体３のフランジ７の面に設けられている。
【００２０】
以上の構成において、電磁流量計本体３とアダプタ２とのフランジ部分７，１１がガスケット３３でシールされる際に、テーパ部分３１，３２が設けられたので、ガスケット３３の測定流体に接する部分が最初に固定され、ガスケット３３はフランジ部分７，１１の外径側に変形するため、ガスケット３３が測定流体側に凸あるいは凹にならずに固定が可能となる。
【００２１】
この結果、ガスケット３３の測定流体側へのはみ出しあるいはへこみの量を規制することができ、凹凸のない滑らかな測定流路が確保できる電磁流量計が得られる。
このために、サニタリ性が向上された電磁流量計が得られる。また、測定精度が向上された電磁流量計が得られる。
なお、前述の実施例においては、凸部３５，３７と凹部３６，３８が設けられてると説明したが、これに限ることはなく、ガスケット２２，３３は凸部３５，３７と凹部３６，３８がない、通常の平板状であっても良い。
【００２２】
なお、以上の説明は、本発明の説明および例示を目的として特定の好適な実施例を示したに過ぎない。
したがって本発明は、上記実施例に限定されることなく、その本質から逸脱しない範囲で更に多くの変更、変形をも含むものである。
【図面の簡単な説明】
【００２３】
【図１】本発明の一実施例の要部構成説明図である。
【図２】図１の組立説明図である。
【図３】本発明の他の実施例の要部構成説明図である。
【図４】図３の組立説明図である。
【図５】従来より一般に使用されている従来例の構成説明図である。
【図６】図５の要部構成説明図である。
【符号の説明】
【００２４】
１      電磁流量計
２      アダプタ
３      流量計本体
４      ライニング
５      ガスケット
６      ボルト
７      流量計本体３のフランジ
８      流量計本体３の測定管
９      流量計本体３のカバー
１１    アダプタ２のフランジ
２１    テーパー部
２２    ガスケット
２３    吸収スペース
２４    凸部
２５    凹部
３１    テーパー部
３２    テーパー部
３３    ガスケット
３４    吸収スペース
３５    凸部
３６    凹部
３７    凸部
３８    凹部
【図１】
2007304040.tif 000003
【図２】
2007304040.tif 000004
【図３】
2007304040.tif 000005
【図４】
2007304040.tif 000006
【図５】
2007304040.tif 000007
【図６】
2007304040.tif 000008